(57)【要約】【目的】ペットに簡便に包被及び脱着でき、且ペットから発散される臭気を確実に吸着し消臭できるとともに、汗や体液に対しても吸湿吸水し且放湿して湿度が略一定に保持され、包被着用感に極めて優れたペット用消臭衣を提供する。【構成】不織布等よりなる素地に、平均粒径が５０μｍ以下で比表面積が８０ｍ２／ｇ以上及び塩基置換容量（ｍｅｑ／１００ｇ）が２００ｍｇ以上の人工ゼオライト粉体が５０ｇ／ｍ２以上の塗着重量で、且多数の蒸散孔と連続気泡構造の塗着層で而も空隙率が１０乃至６０％に塗着された基材で、その長さ方向中心線に対して左右対称的で且全体形状がその中央部位に膨みを有する胴部と先端部位に湾曲状に凹陥した首部を有する略楕円形状の被着体が形成され、該被着体の胴部に対称的に係止片が延出形成され、且その一方の先端表面及び他方の先端裏面に面状ファスナーが、更に首部の対称的内側縁にも面状ファスナーが取付けられた構造。【選択図】　図４
0003097310.tif 000002
【実用新案登録請求の範囲】
【請求項１】
織物、編物若しくは不織布よりなる素地にその平均粒径が５０μｍ以下で比表面積が８０ｍ２／ｇ以上及び塩基置換容量（ｍｅｑ／１００ｇ）が２００ｍｇ以上の人工ゼオライト粉体が少なくとも５０ｇ／ｍ２以上の塗着重量割合で、且多数の蒸散孔と連続気泡構造の塗着層により而も空隙率が１０乃至６０％に塗着された基材からなり、その長さ方向中心線に対して左右対称的で且全体形状がその中央部位に膨みを有する胴部と、先端部位に湾曲状に凹陥した首部を有する略楕円形に形成された被着体と、該被着体の胴部には対称的に細幅状の係止片がそれぞれ延出形成されてなり、且この係止片が相互に係止されるようその一方の先端表面及び他方の先端裏面には面状ファスナーが取付けられ、更には首部の対称的内側縁にも相互がその端縁で係止しえるよう且その一方側表面及び他方側裏面に面状ファスナーが取付けられた構造のペット用消臭衣。
【請求項２】
被着体の全体形状がその長さ方向中心線に対して左右対称的で、直線状の上辺と該上辺の両側端より下辺に向って広がりを持つ側辺、及び該側辺の下端よりその中央部が外方に隆起した下辺とによる略台形状の形状を有し、且該被着体の上辺近傍の対称的位置には円形若しくは楕円形の挿足穴が上辺よりスリット部を介して連通して形成され、而も側辺縁部には相互の側辺が係止されるようその一方の表面及び他方の裏面に面状ファスナーが取付けられた請求項１記載のペット用消臭衣。
【考案の詳細な説明】
【０００１】
【産業上の利用分野】
本考案は犬、猫等ペット類の消臭衣に係るもので、更に詳しくは建物や施設空間等密閉性の高い場所でも動物臭の拡散防止と、且調湿によりペット類の生理的負担を著しく軽減させることの可能な、ペット類の消臭衣に関するものである。
【０００２】
【従来技術】
近年においては生活水準の向上とともに、一方における核家族化や単身生活者の増大や、他方においての高齢化に伴う単身生活者も増大化しており、且就労においてもＦＡ化やＯＡ化が進み業務遂行も機器対話でなされ、而も業務連絡も電子メール化される等極度に人的対話が削減化されてなること等により終業後の集団を離れた生活次元においては孤独感や焦燥感に苛まれ、その癒しの手段として犬、猫を初めとするペット類の飼育が急増しており、且このペット類に対しては異常な程の愛情が注がれ、而も飼料はもとより入浴や整毛並びに衣類等に至るまで多大な経費を注いでいる。
【０００３】
これがため従来における戸建住宅の如く独立した建物区画内でのペット類の飼育から、団地やマンション等共用部分を有する居住建物でも飼育がなされつつあるが、非飼育者等からは動物臭気の拡散によるトラブル発生も頻発しており、更に旅行やショッピング或いは飲食等に際してもペット類を同行することが多く、且この同行されるペット類は整毛や入浴、洗浄等が施されてはいるものの、ホテルや旅館、店舗、レストラン等においてはその動物臭気の拡散付着による非衛生感や不快感の増長危険があるため入室や入場が制限され、ペット愛好者からの潜在的不満が著しく多い実情にある。
【０００４】
考案者はかかる問題に鑑み研究を重ねた結果、近年に至り広範に亘る臭気に対する吸着性や湿気、水分に対する吸湿吸水性並びに乾燥状態に合せて放湿する所謂調湿性を保持する人工ゼオライト粉体が安価に量産できる状況に至っている。これがため特定の性能を有する人工ゼオライト粉体を用いて積極的且効率的に臭気の吸着性や吸湿吸水性を発揮せしめ、且吸着された臭気を分解消臭並びに分解消去させて吸着性を長期に保持せしめ、而も該吸着性や吸湿吸水性が阻害されぬよう強靭で軽量且柔軟な素地に塗着させた基材を用いて、ペット体表面の広範囲を包被させることにより問題を解決しえることを想到し本考案に至った。
【０００５】
【考案が解決しようとする課題】
即ち本考案はペットに簡便に包被及び脱着ができ且ペットから発散される臭気を確実に吸着且消臭できるとともに、汗や体液に対しても吸湿吸水し且放湿して湿度を略一定に保持し、包被着用感に極めて優れたペット用消臭衣を提供することにある。
【０００６】
【課題を解決するための手段】
上述の課題を解決するために本考案が用いた技術的手段は、織物や編物若しくは不織布からなる素地を用い、この素地にペット類から発散される臭気や或いは汗及び体液等を積極的に吸着若しくは吸湿吸水させるうえからは、その接触表面積率が大きなものが好適であるため、その平均粒径において５０μｍ以下の微粒状で且効率良く吸着若しくは吸湿吸水をなさしめるうえから吸着容量若しくは吸湿吸水容量も大きく、更にはその絶対吸着容量並びに絶対吸湿吸水容量を膨大容量となすことが望まれる。
【０００７】
これがため該人工ゼオライト粉体はその比表面積において少なくとも８０ｍ２／ｇ以上のものが選択され、且その塗着重量においては少なくとも５０ｇ／ｍ２以上の塗着量で塗着される。
加えて臭気の吸着においては、吸着に伴う吸着飽和を減失させて長期に亘る消臭性を発揮させるうえからその本質的に保持する触媒作用と且強い塩基置換性を付与せしむる必要上から、その塩基置換容量（ｍｅｑ／１００ｇ）が２００ｍｇ以上の人工ゼオライト粉体が選択使用される。
【０００８】
そしてかかる人工ゼオライト粉体の吸着性や吸湿吸水性が阻害されぬよう、多数の蒸散孔と連続気泡構造の塗着層により素地に塗着させて基材が形成される。而してこの基材をペットの体表面に広範囲に且簡便に包被及び脱着しえるよう、その長さ方向中心線に対して左右対称的で全体形状がその中央部位にペットの肩や腹を包被できるよう膨みを有した胴部と、先端部位には首を包被できるよう湾曲状に凹陥した首部を有する略楕円形の形状で被着体が形成され、且この被着体の胴部には被着体をペットに包被係止させるため、対称的に細幅状の係止片がそれぞれ延出形成され、且この係止片の相互が係止されるよう一方の先端表面及び他方の先端裏面には面状ファスナーが取付けられ、更に首部の対称的内側縁にも相互がその端縁で係止しえるように、その一方側表面及び他方側裏面に面状ファスナーが取付けられた構造のペット用消臭衣に存する。
【０００９】
更には被着体の全体形状がその長さ方向中心線に対して左右対称的で、直線状の上辺と該上辺の両側端より下辺に向って、ペットの首より膨らみを持つ胴を包被できるよう広がりを持つ側辺と、該側辺の下端よりその中央部が外方に隆起した下辺とによる略台形形状を有し、且被着体の上辺近傍の対称的位置にはペットの前足を容易に挿通させるための円形若しくは楕円形の挿足穴が、上辺よりスリット部を介して連通形成されてなり、而も側辺縁部には相互の側辺で包被係止できるよう、その一方の表面及び他方の裏面に面状ファスナーが取付けられた構造のペット用消臭衣に存する。
【００１０】
【作用】
本考案は上述の如き構成からなるもので、ペット類の体表面を広範囲に包被する被着体の基材が織物や編物若しくは不織布からなる素地が用いられるとともに、その平均粒径が５０μｍ以下で比表面積が８０ｍ２／ｇ以上及び塩基置換容量（ｍｅｑ／１００ｇ）が２００ｍｇ以上の人工ゼオライト粉体が多数の蒸散孔と連続気泡構造の塗着層により、少なくとも５０ｇ／ｍ２以上の塗着重量割合で塗着されて形成されてなるため該被着体でペットの首、胴等の広範囲が包被されると、ペット体表面から発散される臭気が塗着層表面や蒸散孔並びに連続気泡内を透通してその内部の人工ゼオライト粉体の大きな接触表面積率と且膨大量の吸着容量とにより積極的且効率的に吸着されるとともに、この吸着された臭気がその触媒作用と強い塩基置換性とにより容易に分解消臭並びに分解消去され、而も吸着飽和が減失されるため吸着性と消臭性が長期に亘って保持される。
【００１１】
更に温度や湿度等によりペット類の体表面から汗や体液等が発散された場合でも、該湿気や汗等の水分が多数の蒸散孔や連続気泡構造内を透湿透水されて、その大きな接触表面積率と且膨大量の吸湿吸水容量の人工ゼオライト粉体に積極的且効率的に吸湿吸水され保水され、而も乾燥状態に合せて放湿されるためペット体表面の湿度が略一定に保持されるためペット類には快適な着用感を与え、且被着体は空隙率が１０乃至６０％に保持されるため、過剰な発汗や高体温時にも容易に外部に透気透湿されるとともに皮膚呼吸も十分に維持される。
加えて被着体を形成する基材は織物や編物若しくは不織布に人工ゼオライト粉体が塗着層で塗着されたものであるから十分に伸縮性を保持し、而も被着体の胴部に対称的に細幅状の係止片が延出されたうえ相互が面状ファスナーで係止されるものであるから、ペット類に十分フィットした包被がなされるとともに該胴部の係止片の面状ファスナー及び首部内側縁の面状ファスナーの係止や剥除のみで被着体の包被や脱着が自在になしえる。
【００１２】
【実施例】
以下に本考案実施例を図とともに詳細に説明すれば、図１は不織布からなる素地１の部分見取図、図２は基材２の部分拡大説明図であって、本考案に用いる素地１としては強靭で軽量並びに柔軟性の他に透気性及び塗着性に優れるものが要請されるため織物や編物若しくは不織布が使用され、且その素材としてはポリエステル系合成繊維やポリアミド系合成繊維若しくは天然繊維素材も挙げられ、且十分な透気性を保持せしめるうえからは粗目の目合で織成若しくは編成されたものが望まれるもので、好適な素地１としては安価で軽量且柔軟性にも優れることから不織布が挙げられ、通常においてはポリエステルやポリアミド系合成繊維を用いてニードル方式やフェルト方式による不織布が望ましく且その目付量としては５０乃至１００ｇ／ｍ２のものが好都合である。
【００１３】
かくして選択された素地１には、使用に際してペット類から発散される臭気や汗、体液等を確実に吸着せしめて分解消臭及び分解消去を図り、若しくは吸湿吸水せしめて略一定の湿度に保持し快適な着用感を創出させるうえから、図３に示すように人工ゼオライト粉体２０Ａの保持する吸着性や吸湿吸水性が阻害されぬよう多数の蒸散孔２０Ｂ及び連続気泡構造２０Ｃを有する塗着層２Ａにより塗着されている。
【００１４】
即ちかかる場合において使用される人工ゼオライト粉体２０Ａは、被着使用されるペット類の体表面から発散される臭気や汗、体液等を積極的に吸着させ若しくは吸湿吸水させるうえからは、その接触表面積率を大きく形成させることが望まれるため、その平均粒径としては５０μｍ以下好ましくは１０乃至３０μｍの微粒状のものが使用され、且ペット類の臭気や汗、体液等を効率良く吸着若しくは吸湿吸水させるうえからは大きな吸着容量若しくは吸湿吸水容量を保持させる必要上、その比表面積において少なくとも８０ｍ２／ｇ以上好ましくは１２０乃至１６０ｍ２／ｇのものが用いられる。
【００１５】
加えて人工ゼオライト粉体２０Ａは、吸湿吸水に係る水分がその微細孔隙内に保水され且近傍の乾燥状態に合せて放湿がなされる所謂調湿作用が働くものであるが、吸着される臭気については単に物理的吸着のみでは吸着量の増大とともに吸着飽和し、短時に吸着性が喪失される。
而して人工ゼオライト粉体２０Ａは本質的に触媒作用を保持することから、この触媒作用に強い塩基置換性を付与せしむることにより、吸着された臭気の分解消臭並びに分解消去が実現される。これがためその塩基置換容量（ｍｅｑ／１００ｇ）においては少なくとも２００ｍｇ以上、好ましくは２４０乃至２８０ｍｇの人工ゼオライト粉体２０Ａが選択使用される。
【００１６】
かくして選択された人工ゼオライト粉体２０Ａの吸着性や吸湿吸水性を阻害させずに素地１に塗着させるため、多数の蒸散孔２０Ｂ及び連続気泡構造２０Ｃを有する塗着層２Ａにより塗着がなされる。
かかる場合の塗着層２Ａの形成手段としては多様の手段が考慮されるが、好適な具体的手段としては人工ゼオライト粉体２０Ａを２０乃至４０％重量割合に塗着材として合成ゴムラテックス若しくは天然ゴムラテックスを１５乃至３０％重量割合、オレイン酸カリウムからなる気泡剤０．５乃至５．０％重量割合に水を加水のうえ、その粘度が１０００乃至６０００ｃｐ（センチポアズ）程度の水溶性塗着材となしたうえ素地１を浸漬塗着させ、且１００乃至１８０℃程度の加熱乾燥を施すことにより形成される。
そしてこの塗着層２Ａの形成に際して肝要なことは臭気の吸着や汗、体液等の吸湿吸水をより確実になすために絶対吸着容量並びに絶対吸湿吸水容量を膨大量に形成させておくことが望まれるため、人工ゼオライト粉体２０Ａの実質的塗着量としては少なくとも５０ｇ／ｍ２以上好ましくは７０乃至１００ｇ／ｍ２に塗着させることにある。
【００１７】
素地１に所要重量割合で人工ゼオライト粉体２０Ａが塗着されて形成された基材２は、ペット類に包被させて発散させる臭気や汗、体液等の吸着と消臭並びに吸湿吸水と調湿を図るため、包被に適合した形状及び包被及び脱着しえる構造に形成される。
即ち図４は本考案の展開説明図であって、基材２はその長さ方向の中心線のＡ−Ａ線に対して左右が対称的形状で且全体形状が、その中央部位に膨みを有する胴部３Ａ、３Ａが形成されるとともに先端部位にはペット類の首を周回包着させるため湾曲状に凹陥させてなる首部３Ｂが形成された略楕円形状に裁断されて被着体３が形成されている。
この被着体３の具体的長さや幅、大きさ等は被着されるペット類の種類や大きさにより具体的に決定される。
【００１８】
当然に本考案ペット用消臭衣は、ペット類を携行し散歩させたりする場合にファッション性も要請されるものであるから、該被着体３を形成する基材２の表面には適宜の着色や印刷が施されるものであるが、必要に応じては鮮明な色彩や模様の印刷が可能な綿織物地等に印刷を施した布帛を該基材２の表面に積層させることや、或いは被着体３の外周縁に綿やサテン地からなる細幅テープで縁取りを施すことも提案される。
【００１９】
そして被着体３の胴部３Ａ、３Ａには外方に向ってペット類に被着係止させるために対称的に細幅状の織物素地等からなる係止片３０Ａ、３０Ａが適宜長さで延出形成されてなるもので、該係止片３０Ａ、３０Ａの長さは被着使用されるペット類の胴回りや、該被着体３の胴部３Ａ、３Ａの総幅長とにより多少の余裕をもってペット類を包被しえるような長さで具体的に決定される。
加えてこの係止片３０Ａ、３０Ａの先端には相互の係止片３０Ａ、３０Ａが係止できるように、その一方の係止片３０Ａの先端表面と且他方の係止片３０Ａの先端裏面には面状ファスナー３０Ｃ、３０Ｃが取付けられており、更には首部３Ｂの対称的内側縁３０Ｂ、３０Ｂにも、相互の内側縁３０Ｂ、３０Ｂをその端縁で係止しえるよう、その一方側表面及び他方側裏面には面状ファスナー３０Ｃ、３０Ｃが取付けられている。
【００２０】
かかる場合に係止片３０Ａ、３０Ａに代えて、被着体３の胴部３Ａ、３Ａより直接細幅状の面状ファスナー３０Ｃ、３０Ｃを延出形成させても良い。
かくして形成された本考案ペット用消臭衣４は、図５に示すようにペット類の首より背中に亘って配位させ腹部で相互の係止片３０Ａ、３０Ａを係止させ、且首部の内側縁３０Ｂ、３０Ｂに設けられた相互の面状ファスナー３０Ｃ、３０Ｃを係止させるのみで包被がなされる。
【００２１】
図６は略台形状の本考案の展開説明図であって、該略台形のペット用消臭衣４０は、基材２を用いてその全体形状が長さ方向の中心線Ａ−Ａ線に対して左右が対称的形状で、且直線状の上辺４０Ａと該上辺４０Ａの両側端より下辺の方向に向って広がりを有する側辺４０Ｂ、及び該側辺４０Ｂの下端よりその中央が外方に隆出した下辺４０Ｃとにより略台形形状を有する被着体４１が形成される。
かかる場合に、上辺４０Ａと下辺４０Ｃまでの長さや側辺４０Ｂ、４０Ｂの間の幅は具体的に被着されるペット類の種類、体型或いは大きさ等に合せて決定されるが、予めＬサイズ、Ｍサイズ、Ｓサイズ等の寸法区分のものを用意しておくことが至便である。
当然のことながらペット類への包被に際しては、一般的にペット類の首回りに対し胴回りは十分に太い体型を有するため、上辺４０Ａが首部に側辺４０Ｂ及び下辺４０Ｃの部分が胴部を包被することとなる。
【００２２】
更にかかる被着体４１の上辺４０Ａの近傍の対称的位置には、ペット類の前足を包被しえるように円形若しくは楕円形状の挿足穴４２、４２が設けられてなるとともに、この挿足穴４２、４２は上辺４０Ａよりスリット部４３、４３により連通されてペット類への被着に際してその前足を容易に挟入包被しえるよう配慮されている。
かかるペット類の消臭衣４０も、ペット類を携行し散歩する場合等においてはファッション性が強く求められるものであるから、基材２の表側に多様な色彩や印刷が施されるばかりか、より鮮明な色彩や模様が要請される場合には通気性を保持し着色性に優れる綿織物等の布帛を積層させることが提案される。
【００２３】
そして該被着体４１もペット類に包被させて携行或いは散歩等をなす場合には包被係止が十分になされる必要上、側辺４０Ｂ、４０Ｂの側辺縁部４４、４４には相互が係止できるよう、一方の側辺縁部４４の表面及び他方の側辺縁部４４の裏面にはそれぞれ面状のファスナー３０Ｃ、３０Ｃが設けられてなるものである。
かくして形成されるペット用消臭衣４０は図７に示す如きに包被使用される。
【００２４】
【考案の効果】
本考案は以上述べたように予めペット類の体型や大きさに適合するサイズを選択するのみで、ペット類の首部から背部に配位させることで首部や前足が容易に包被係止でき、且胴部全体も係止片の相互に取付けられた面状ファスナー、或いは側辺縁部に取付けられた面状ファスナーの係止で簡便に包着係止がなしえ而も被着体が強靭で軽量のうえ柔軟であるから、複雑に変動するペットの体型にも十分フィットした包被がなしえるとともに使用後の脱着も容易になしえる。
【００２５】
そして本考案を形成する被着体には、その平均粒径が５０μｍ以下の接触表面積率が極めて大きく、且その比表面積が少なくとも８０ｍ２／ｇ以上と吸着容量や吸湿吸水容量が大きく、而も塗着量が５０ｇ／ｍ２以上で絶対吸着容量や絶対吸湿吸水容量も膨大容量に形成され、更には本質的に保持する触媒作用に加えてその塩基置換容量（ｍｅｑ／１００ｇ）が２００ｍｇ以上の人工ゼオライト粉体がその吸着性や吸湿吸水性が阻害されぬよう多数の蒸散孔と連続気泡構造を有する塗着層により塗着された基材を用いてなるため、包被使用時におけるペット類の体表面から発散される臭気が積極的且効率的に吸着され、分解消臭並びに分解消去されて確実な消臭に伴う衛生感が創出され、而も高温や多湿時或いは激しい運動に伴う汗や体液の発散に際しても確実に吸湿吸水されるとともに、外部乾燥状態に合せて放湿される調湿作用が発揮されるため、ペット類の体表面の蒸れや濡れが発生せず快適な包被状態に保持され、且空隙率も１０乃至６０％に保持されるため、包被使用時の皮膚呼吸も十分になしえる等極めて優れた特長を具備したペット用消臭衣である。
【図面の簡単な説明】
【図１】不織布からなる素地の部分見取図である。
【図２】基材の部分拡大説明図である。
【図３】塗着層の拡大断面説明図である。
【図４】全体形状が略楕円形の本考案展開説明図である。
【図５】全体形状が略楕円形の本考案使用態様図である。
【図６】全体形状が略台形の本考案展開説明図である。
【図７】全体形状が略台形の本考案使用態様図である。
【符号の説明】
１　　素地
２　　基材
２Ａ　塗着層
２０Ａ　人工ゼオライト粉体
２０Ｂ　蒸散孔
２０Ｃ　連続気泡構造
３　　被着体
３Ａ　胴部
３Ｂ　首部
３０Ａ　係止片
３０Ｂ　内側縁
３０Ｃ　面状ファスナー
４　　全体形状が略楕円形の本考案ペット用消臭衣
４０　　全体形状が略台形の本考案ペット用消臭衣
４０Ａ　上辺
４０Ｂ　側辺
４０Ｃ　下辺
４１　　全体形状が略台形の被着体
４２　　挿足穴
４３　　スリット部
４４　　側辺縁部
【図１】
0003097310.tif 000003
【図２】
0003097310.tif 000004
【図３】
0003097310.tif 000005
【図４】
0003097310.tif 000006
【図５】
0003097310.tif 000007
【図６】
0003097310.tif 000008
【図７】
0003097310.tif 000009